(57)【要約】【課題】物品収納時にはパッケージの容積を小さくでき、しかも物品に付された無線タグの情報の読取、書込み時には、各無線タグの情報を個別に読取、書込みを容易に行うことが可能な、パッケージを提供すること。【解決手段】  無線タグが付された物品が収納されるパッケージであって、このパッケージの側面部が弾力性のある屈曲構造を有して成ることを特徴とするパッケージ。【選択図】図１
2006276996.tif 000002
【特許請求の範囲】
【請求項１】
無線タグが付された物品が収納されるパッケージであって、
このパッケージの側面部が弾力性のある屈曲構造を有して成ることを特徴とするパッケージ。
【請求項２】
前記屈曲構造を有する側面部が、少なくとも発泡材で構成されて成ることを特徴とする請求項１記載のパッケージ。
【請求項３】
無線タグが付された書類が収納されるパッケージであって、
このパッケージの前面又は後面からの外力が除かれたとき、前記書類を挟持する弾力性のある屈曲構造を前記パッケージの側面部が有して成ることを特徴とするパッケージ。
【請求項４】
前記パッケージは発泡剤により構成されて成ることを特徴とする請求項３記載のパッケージ。
【発明の詳細な説明】
【技術分野】
【０００１】
本発明は、情報の読取や書込みが可能な無線タグが付された物品を収納するパッケージに関する。
【背景技術】
【０００２】
近年、無線タグを利用して様々な物品を管理しようとする動きが増えてきている。無線タグによって管理する物品が比較的小さい物や薄手の物の場合、それらはある程度の数をまとめられ、より大きなパッケージなどに入れられて収納・管理されることが多い。
【０００３】
しかしこのような場合、これらの物品が近接しておかれ、無線タグも近くなるので、無線タグの付された物品個々のタグ情報の読取、書き込みは、無線タグ同士の相互干渉によって困難となる。この無線タグ間の相互干渉を抑制するために、無線タグ間を相互干渉しない距離だけ離す、つまり、物品間の間隔を一定の距離に保ちつつ、遮蔽シートなどを用いて相互干渉を防ぐ方法が取られていた（例えば、特許文献１参照）。
【０００４】
しかしながら、上記の例では物品間の間隔を一定の距離に保つ必要から、物品を収納したパッケージが大きくなってかさばり、このパッケージを収納するための容積が増大するという問題があった。
【特許文献１】特開２００４−２４６８１６号公報
【発明の開示】
【発明が解決しようとする課題】
【０００５】
本発明は、上記のような従来の無線タグを用いた物品を収納したパッケージが大きくなってかさばり、このパッケージを収納するための容積が増大するという問題にかんがみてなされたもので、物品収納時にはパッケージの容積を小さくでき、しかも物品に付された無線タグの情報の読取、書込み時には、各無線タグの情報を個別に読取、書込みを容易に行うことが可能な、パッケージを提供することを目的とする。
【課題を解決するための手段】
【０００６】
本発明の請求項１によれば、無線タグが付された物品が収納されるパッケージであって、このパッケージの側面部が弾力性のある屈曲構造を有して成ることを特徴とするパッケージを提供する。
【０００７】
本発明の請求項３によれば、無線タグが付された書類が収納されるパッケージであって、このパッケージの前面又は後面からの外力が除かれたとき、前記書類を挟持する弾力性のある屈曲構造を前記パッケージの側面部が有して成ることを特徴とするパッケージを提供する。
【発明の効果】
【０００８】
本発明によれば、物品を収納したパッケージを保管するときには容積を小さくでき、しかも各物品に付された無線タグの情報を読み取るときや書き込むときには各無線タグ間の相互干渉を防止して、個別に容易に情報の読取、書込み行えるパッケージが得られる。
【発明を実施するための最良の形態】
【０００９】
以下、本発明の実施形態について図面を用いて説明する。書類を収納するパッケージに、本発明を適用した場合の一実施形態の全体構成例を図１に示す。即ち、書類を収納するパッケージ１１と、このパッケージに付された無線タグ１２と、収納される書類１３と、この書類１３に付される無線タグ１４とから構成される。
【００１０】
パッケージ１１は、例えば、発泡材などを素材とし、上部は開放され、前後側面は平面構造を、左右の側面と底部は弾力性のある屈曲構造を有し、書類１３が満載された状態に耐えうる強度を有する。収納される書類１３は、一枚以上の書面やそれらを入れた封筒、書籍などであり、例えばその前面上部に無線タグ１４が付されている。この無線タグ１４には、固有の識別情報（ＩＤ符号）とともに書類などのタイトルやキーワードなどの各種情報が記憶されている。
【００１１】
一方、パッケージ１１自体にも例えばその前面に無線タグ１２が付されており、その無線タグ１２にはパッケージ１１に収納されている書類１３の種類（カテゴリー）や分類などが書き込まれる。
【００１２】
次に、本発明のこの実施形態におけるパッケージ１１の通常時の状態を図２に、パッケージ収納時、即ち、書類１３を収納した状態でのパッケージ１１を棚等に格納するときの状態を図３にそれぞれ示す。通常時におけるパッケージ１１に書類１３を収納した状態を、図２（ａ）では斜視図で、また図２（ｂ）では断面図で示す。また、図３（ａ）は、パッケージ収納時におけるパッケージ１１に書類１３を収納した状態を斜視図で、図３（ｂ）は、同状態を断面図で示す。
【００１３】
図２（ａ）（ｂ）に示したパッケージ１１は、その前後側面に加えられる外力により左右側面及び底部の弾力性を有する屈曲構造により変形し、前後側面が近づいて図３（ａ）の斜視図と図３（ｂ）の断面図で示す形状となる。
【００１４】
通常時においてパッケージ１１は、図２（ｂ）の断面図で示すように、二つの物品１３が、パッケージ１１の左右側面の屈曲構造における襞にガイドされて、物品１３に付された無線タグ１４同士の相互干渉のない距離だけ離されることにより、個々の物品１３の無線タグ１４を相互干渉を生ぜずに読み取ることができる。
【００１５】
また、パッケージ収納時においてパッケージ１１は、図３（ｂ）の断面図で示すように、前後側面に加えられた外力によって前後側面が近づくように変形させることにより、パッケージ１１が必要とする収納スペースを最小限にする。
【００１６】
上述の実施形態によれば、パッケージとして発泡材を用いており、弾力性を有すると共に、重量のある書類を収納しても丈夫なパッケージが得られる利点がある。しかし少なくとも側面部と底面部が発泡材により作られていれば、パッケージの弾力性を有する。更に本発明によるパッケージとしては、少なくとも側面部が弾力性を有する構成となっていればよく、必ずしも発泡材を用いなくてもよい。
【００１７】
上述の実施形態のパッケージによれば、通常時には、無線タグ間の距離を保って相互干渉を抑えることにより、書類に付された無線タグの読み取りを可能とさせ、パッケージ収納時には、外力を加えるだけでその収納容積を最小限に抑えられる利点がある。また、この実施形態では、パッケージ内に収容された書類を側面の屈曲構造により浮かす、即ち収納される書類を離間させる機能を有しており、このようにすれば、書類が弾力性を有しなくても、書類の読み取りが非常に容易になる利点がある。
【００１８】
しかし、通常は書類自体がある程度、弾力性を有しており、必ずしも側面の屈曲構造が書類を浮かせる機能を有しなくても、外力を除くと通常、各書類は開放された状態になって、付された無線タグ間は離れた状態になり、各無線タグの読み取りは容易になる。
【００１９】
また、上記実施形態では、書類をパッケージに収納する場合について述べたが、本発明は、書類を収納するパッケージに限られず、本発明の技術思想に含まれる範囲で種々の物品を収納するパッケージに適用可能である。
【図面の簡単な説明】
【００２０】
【図１】本発明の一実施形態におけるパッケージの全体構成の例を示す図。
【図２】本発明の一実施形態におけるパッケージの通常時の状態を示す図。
【図３】本発明の一実施形態におけるパッケージ収納時の状態を示す図。
【符号の説明】
【００２１】
１１・・・パッケージ、
１２，１４・・・無線タグ、
１３・・・書類。
【図１】
2006276996.tif 000003
【図２】
2006276996.tif 000004
【図３】
2006276996.tif 000005